(57)【要約】【課題】既存の膳板や額縁を撤去しないで、開口部をスライド式自動ドアに改装する。【解決手段】店舗の方立３に隣接して額縁の膳板６を設けた開口部１を改装する。既存の開口部１のドアを撤去し、膳板６を斫ることなく、その外側に外側縦枠１９を設置して方立３に連結した。外側縦枠１９を方立３に連結する工程で、既設の方立３が傾斜していても調整アングル２０を固定する。外側縦枠１９に形成したスライド調整部１９ｂを調整アングル２０に重ねて外側縦枠１９を垂直に設置してスライド調整部１９ｂを調整アングル２０にねじで固定すると、方立３の傾斜を調整アングル２０で吸収して外側縦枠１９を垂直に固定できる。外側縦枠１９に隣接して開閉ドア１２を備えたスライド式の自動ドア１０を設置して新たな開口部を形成した。【選択図】図３
2015031055.tif 000002
【特許請求の範囲】
【請求項１】
既存の開口部の方立に隣接する位置に膳板が設けられた建物の開口部の改装工法において、
前記既存の開口部の戸体を撤去し、
前記膳板の外側に外側縦部材を前記方立より外側に突出することなく設置して前記方立に連結し、
該外側縦部材に対して前記方立の屋内側にスライド式の自動ドアを設置して新たな開口部を形成したことを特徴とする建物の開口部の改装工法。
【請求項２】
前記外側縦部材を方立に連結する工程において、前記方立に調整部材を固定し、前記外側縦部材は前記方立に対する角度を調整して前記調整部材に固定するようにした請求項１に記載された建物の開口部の改装工法。
【請求項３】
既存の開口部の方立に隣接する位置に膳板が設けられており、前記膳板の外側に外側縦部材を前記方立より外側に突出することなく設置して前記方立に連結し、該外側縦部材に対して前記方立の屋内側にスライド式の自動ドアを設置して新たな開口部を形成したことを特徴とする建物の開口部の改装構造。
【請求項４】
前記既存の開口部に隣接して前記方立と枠体にガラスパネルが保持されてなる袖部と、前記方立と前記枠体の縦枠とに各々設けられた支持部と、該支持部と前記新たな開口部に亘って設置された横部材とを備え、前記スライド式自動ドアが前記横部材に設置されている請求項３に記載された建物の開口部の改装構造。
【請求項５】
前記膳板の上に内側縦部材を取り付けて、該内側縦部材を前記外側縦部材に連結した請求項３または４に記載された建物の開口部の改装構造。
【請求項６】
前記方立には前記外側縦部材との間に調整部材を固定し、前記外側縦部材は前記方立に対する角度を調整して前記調整部材に固定するようにした請求項３乃至５のいずれか１項に記載された建物の開口部の改装構造。
【請求項７】
前記外側縦部材には前記調整部材に重なるスライド調整部が形成され、前記外側縦部材は方立に対する姿勢を調整して互いに重なる前記スライド調整部と前記調整部材を固定するようにした請求項６に記載された建物の開口部の改装構造。
【発明の詳細な説明】
【技術分野】
【０００１】
本発明は、建物の開口部における例えばスイング式等のドアをスライド式の自動ドアに改装するようにした建物の開口部の改装工法と改装構造に関する。
【背景技術】
【０００２】
従来、建物の店舗等の開口部では人が出入りし易いようにスライド式の自動ドアを取り付けることが多く、このような自動ドアの構造として例えば特許文献１に記載されたものが知られている。
また、従来、スイング式の開き戸を開口部に採用していた店舗等において、人が出入りする際に開き戸を押したり引いたりして回転させることは力を要するため、子供や老人や障害者等のように力の弱い人には負担になっていた。そのため、店舗等では、人が出入りし易いようにスイング式の開き戸からスライド式の自動ドアに改装する工事が行われている。
【０００３】
例えば、図９に示すように、店舗の開口部１にスイング式の開き戸２が取り付けられており、開口部１の方立３を介して隣接する壁面にＦＩＸ窓４が額縁７に固定されている。ＦＩＸ窓４の下部には腰壁５が配設され、腰壁５の上に屋内側に張り出す額縁７の膳板６が設置されている。
このような既存の店舗において、開口部１を開き戸２からスライド式の自動ドアに改装する場合、例えば、図１０に示すように、開き戸２を撤去すると共に、額縁７と膳板６の一部を斫って撤去する必要があった。そして、方立３に隣接する位置に新たな縦枠８を連結して、更にスライド式の自動ドア９を設置していた。
【先行技術文献】
【特許文献】
【０００４】
【特許文献１】特開２０１２−１４０８５２号公報
【発明の概要】
【発明が解決しようとする課題】
【０００５】
しかしながら、上述したような開口部１の改装工事は、額縁７や膳板６を部分的に撤去するために手直し施工が必要など、大幅な改装工事が必要であった。
【０００６】
本発明は、このような課題に鑑みてなされたものであって、既存の腰壁、額縁や膳板を撤去することなく、開口部をスライド式の自動ドアに改装できるようにした建物の開口部の改装工法と改装構造を提供することを目的とする。
【課題を解決するための手段】
【０００７】
本発明による建物の開口部の改装工法は、既存の開口部の方立に隣接する位置に膳板が設けられた建物の開口部の改装工法において、既存の開口部の戸体を撤去し、膳板の外側に外側縦部材を方立より外側に突出することなく設置して方立に連結し、外側縦部材に対して方立の屋内側にスライド式の自動ドアを設置して新たな開口部を形成したことを特徴とする。
本発明によれば、既存の開口部のドアを撤去し、膳板を斫ることなく膳板の外側の位置に外側縦部材を設置して方立に連結し、しかも、方立より外側縦部材を突出させないことで開口部を狭めることがない。そして、外側縦部材より屋内側にスライド式の自動ドアを設置することで、自動ドアを既存の開口部に代えて新たな開口部として改装することができる。なお、戸体は建具の可動部分で、開き戸や引戸や扉や障子等を含んでいる。
【０００８】
また、外側縦部材を方立に連結する工程において、方立に調整部材を固定し、外側縦部材は方立に対する角度を調整して調整部材に固定することが好ましい。
本発明によれば、既存の方立は経年劣化等により傾斜することがあり、方立に対して調整部材を予め固定し、新たに設置する外側縦部材を適宜姿勢、例えば垂直姿勢に設置して調整部材にねじ等で固定することができる。この場合、方立と外側縦部材とは上下方向における姿勢や角度が相違することになるが、両者の姿勢や角度の相違による上下方向における互いの距離のずれや干渉を調整部材によって吸収することができる。
【０００９】
本発明による建物の開口部の改装構造は、既存の開口部の方立に隣接する位置に膳板が設けられており、膳板の外側に外側縦部材を方立より外側に突出することなく設置して方立に連結し、外側縦部材に対して方立の屋内側にスライド式の自動ドアを設置して新たな開口部を形成したことを特徴とする。
本発明によれば、既存の開口部の方立に隣接して設けられた膳板を斫ることなく、膳板の外側の位置に外側縦部材を設置して方立に連結し、その際、方立より外側縦部材を外側に突出させないことで開口部を狭めることがない。そして、既存の開口部の屋内側にスライド式の自動ドアを設置することで、この自動ドアを既存の開口部に代えて新たな開口部として改装することができる。
【００１０】
また、既存の開口部に隣接して方立と枠体にガラスパネルが保持されてなる袖部と、方立と枠体の縦枠とに各々設けられた支持部と、該支持部と新たな開口部に亘って設置された横部材とを備え、スライド式自動ドアが横部材に設置されていることが好ましい。
スライド式自動ドアは横部材に設置された状態で新たな開口部と袖部との間をスライド移動して開閉作動できる。
【００１１】
また、膳板の上に内側縦部材を取り付けて、該内側縦部材を外側縦部材に連結してもよい。
内側縦部材を膳板の上に設置することで膳板が邪魔にならず、しかも、外側縦部材の内側に内側縦部材を連結することで外側縦部材の強度を補強できる。
【００１２】
また、方立には外側縦部材との間に調整部材を固定し、外側縦部材は方立に対する角度を調整して調整部材に固定することが好ましい。
既存の方立が経年劣化等により傾いたとしても、調整部材を介して外側縦部材を所望の姿勢や角度、例えば垂直に固定することで、方立と外側縦部材の姿勢や傾斜の相違による上下方向の距離のずれや干渉を調整部材で吸収できる。
【００１３】
また、外側縦部材には調整部材に重なるスライド調整部が形成され、外側縦部材は方立に対する姿勢を調整して、互いに重なるスライド調整部と調整部材をねじ止め等で固定するようにしてもよい。
方立が例えば経年劣化等で傾斜していたとしても、方立に連結した調整部材に対して外側縦部材を方立と異なる姿勢や角度で設置し、外側縦部材のスライド調整部と調整部材の重なり割合を調整してスライド調整部で調整部材に固定することで、方立と外側縦部材との姿勢や傾斜の違いによる上下方向における距離のずれや干渉を調整部材で吸収できる。
【００１４】
また、本発明による改装自動ドアは、腰壁の上部に窓を設けた袖部と開閉可能な開閉ドアを備えた開口部とを備えており、袖部の窓における左右の縦枠に設けた一対の支持部とランマの窓の下枠とに亘って横部材を固定し、しかも開口部における袖部の屋内側であって、外側縦部材及び他の縦部材と横部材で仕切られた領域に開閉ドアを設け、この開閉ドアは横部材に沿って開口部から袖部の領域まで開閉作動可能とされている。
また、横部材には、横部材に沿って開閉ドアを案内するレールと、開閉ドアをレールに沿ってスライドさせる駆動源と、を備えた駆動手段を取り付けてあることが好ましい。
【００１５】
なお、開閉ドアと床面に設置した下レールガイド部との一方にガイド溝を設け、他方にガイド溝に沿って走行可能なガイド部を設けるようにしてもよい。
また、開閉ドアの下部にガイド部を設け、床面に前記ガイド部を受け入れて走行をガイドするガイド溝を設けた下レールガイド部を設けることが好ましい。
【発明の効果】
【００１６】
本発明による建物の開口部の改装工法と改装構造によれば、既存の開口部の方立に隣接して設けた膳板を斫り等することなく膳板の外側の位置で外側縦部材を設置できるため、施工が容易で改装の工数が少なくて済み施工性が向上するという作用効果を奏する。しかも、方立より外側縦部材を開口部側に突出させないことで現行の開口部を狭めることがなく、スライド式の自動ドアを既存の開口部に代えて新たな開口部として改装できる。
【図面の簡単な説明】
【００１７】
【図１】本発明の実施形態による店舗の開口部に設置した自動ドアを示す正面図であり、（ａ）は片開き式の自動ドア、（ｂ）は両開き式の自動ドアである。
【図２】本発明の実施形態による開口部の改装構造の要部横断面図である。
【図３】図２に示す開口部の外側縦枠と内側縦枠の改装構造部分の要部拡大図である。
【図４】図３に示す方立と外側縦枠との連結部の横断面図であり、（ａ）は方立と外側縦枠のずれがない部分、（ｂ）は方立と外側縦枠のずれが大きい部分である。
【図５】図２に示す自動ドアの開口部の縦断面図である。
【図６】図２に示す自動ドアの袖部の縦断面図である。
【図７】本実施形態の自動ドアにおける第一変形例を示すもので、床面に取り付けた開閉ドアの下部レールガイド部を示す要部縦断面図である。
【図８】第二変形例による自動ドアにおける下部レールガイド部を示す要部縦断面図である。
【図９】従来の開口部におけるスイング式の開き戸を示す要部横断面図である。
【図１０】図９に示す従来の開口部の屋内側において額縁の膳板を斫って縦枠を設けた改装状態を示す図である。
【発明を実施するための形態】
【００１８】
以下、本発明の実施形態による建物の開口部の改装構造と改装工法について図１乃至図６を参照しながら説明する。また、本実施形態による開口部の改装構造は図９に示すスイング式の開き戸２をスライド式（引戸式）の自動ドア１０に改装する構造を説明するものであるため、図９に示す部材や部品と同一または同様なものについては同一の符号を用いて説明するものとする。
【００１９】
図１に示すように、本実施形態による建物の開口部１の改装構造は、例えば店舗の開口部１の図９に示すスイング式のドアを、スライド式（引戸式）の自動ドアに改装したものである。改装後の構造として、図１（ａ）は片開き式の自動ドア１０を示すものであり、店舗の前面に、下部に腰壁５を設けたＦＩＸ窓４と、両側に一対の方立３を設けた開口部１に設けて自動的に開閉可能な１枚の開閉ドア１２とを備えている。なお、ＦＩＸ窓４は後述する袖部４０を構成する。
また、図１（ｂ）は両開き式の自動ドア１３を示すものであり、下部に腰壁５を設けた一対のＦＩＸ窓４の間の開口部１に２枚の開閉ドア１２が左右にスライドして開閉可能とされている。両開き式の自動ドア１３は片開き式の開閉ドア１２を２つ設けて左右に開く構造であり、基本的に片開き式の自動ドア１０と同一の駆動機構を備えている。そのため、本実施形態による開口部１の改装構造は片開き式の自動ドア１０に基づいて説明する。
【００２０】
図２に示す店舗の開口部１の改装構造は、例えば図１(ａ)に示す片開き式の自動ドア１０の横断面図を示すものとする。図２に示す開口部１の改装構造では、既設のＦＩＸ窓４の一方の端部は開口部１との間の方立３に設けた飲み込み部１５に支持され、ＦＩＸ窓４の他方の端部は縦枠１６の飲み込み部１７に支持されている。
そして、方立３の腰壁５上の膳板６を斫ることなく保持し、膳板６の外側端部（図２中の右側端部）に隣接して改装用の外側縦枠１９が設置されている。図３に示すように、この外側縦枠１９は例えば角筒状に形成され、その外側の側面１９ａは方立３の開口部１側の側面３ａと面一になるように幅が設定され、側面１９ａは外側縦枠１９の角筒部から方立３の側面３ａ方向に延びた例えばプレート状のスライド調整部１９ｂと一体に形成されている。
【００２１】
また、図３及び図４において、方立３と外側縦枠１９との間には調整部材として断面略Ｌ字状の調整アングル２０が上下方向に延びて配設され、調整アングル２０の折り曲げた短片２０ａは方立３の側面３ｂに当接してねじ２２で固定されている。また、調整アングル２０の長片２０ｂは外側縦枠１９のスライド調整部１９ｂと重ねられて配設され、上下方向に所定間隔でねじ２２によって固定されている。そのため、方立３は調整アングル２０を介して外側縦枠１９のスライド調整部１９ｂと連結されている。また、調整アングル２０の他端部の突部２０ｃは外側縦枠１９の側面１９ｃから突出する当接片１９ｄに当接している。内側縦枠２４と外側縦枠１９の上端は後述の横枠３０まで延び、内側縦枠２４及び外側縦枠１９と横枠３０の屋内外方向の長さは同幅である。
【００２２】
ここで、既設の構造物である方立３は経年劣化や地震等の外力等によって垂直方向に対して微小角度傾斜していることがあり、これに対して改装部材の外側縦枠１９は垂直に設置する必要がある。
そのため、予め方立３に沿って傾斜して固定された調整アングル２０に対して外側縦枠１９は方立３の傾斜を吸収して垂直に設置するよう姿勢、角度を建付け調整した状態で、スライド調整部１９ｂを調整アングル２０にねじ２２ａで固定するようにした。
例えば、既設の方立３が例えば３°〜５°傾斜している場合には、図４（ａ）に示すように、方立３の上下方向の一端部では外側縦枠１９のスライド調整部１９ｂは方立３の側面３ｂに当接しており、方立３の上下方向の他端部では、図４（ｂ）に示すように、スライド調整部１９ｂは方立３から離間した位置で調整アングル２０にねじ止めされる。
【００２３】
なお、スライド調整部１９ｂの内面にはねじ２２ａの螺合位置を設定するために貫通孔と断面コの字状にねじ受け部１９ｅを設けてもよい。ねじ２２ａはスライド調整部１９ｂを介して頭部が屋外に露出していることがある。しかも、外側縦枠１９を調整アングル２０を介して方立３に取り付けても側面１９ａとスライド調整部１９ｂは方立３より外側に突出しないから、開口部１の開口幅Ｗは狭くならない。
なお、図２において、開口部１におけるＦＩＸ窓４の方立３に対向する他方の方立３に接続した既存枠２１には、外側縦枠１９や調整アングル２０等の倒れ調整機構を設けているが、設けなくてもよい。
【００２４】
そして、方立３と外側縦枠１９に沿って形成された開口部１において、外側縦枠１９の方立３とは反対側の領域（屋内側）に片開き式の自動ドア１０を設置し、開閉ドア１２をスライドさせて開口部１を開閉可能とした。開閉ドア１２は、図１及び図２に示すように、例えば縦框１２ａと上框１２ｂと下框１２ｃとで囲われた枠体内に例えばガラスパネルが取り付けられている。
【００２５】
また、図３〜図５において、外側縦枠１９の屋内側には、腰壁５における膳板６の上面に内側縦枠２４を設置する。内側縦枠２４において、断面略Ｌ字形状のアングル材２５の一方の短片２５ａを通してねじ２２で方立３の側面３ｂに連結し、長片２５ｂを内側縦枠２４の内側側面２４ａとねじ２２で連結し、他端部の突部２５ｃは内側縦枠２４の屈曲部に当接している。
更に、内側縦枠２４の外側の側面２４ｂを外側縦枠１９の内側の側面とねじ２２ｂで連結する。なお、内側縦枠２４は方立３に沿った姿勢でアングル材２５に取り付けるようにしたが、外側縦枠１９と同様に垂直に設置するようにしてもよい。
そのため、調整アングル２０と外側縦枠１９のスライド調整部１９ｂを連結するねじ２２ａの頭部が屋外に露出していて第三者が取り外し可能であっても、外側縦枠１９は内側縦枠２４とねじ２２ｂで連結されているために、外側縦枠１９の取り外しを防止できて防犯性が高い。
【００２６】
次に、図１、図５及び図６により、開口部１における自動ドア１０の改装構造について説明する。開口部１において、自動ドア１０の上部前方にはランマとしてＦＩＸ窓２７が配設され、左右縦枠２８ａ、上枠２８ｂ、下枠２８ｃからなる枠体にガラスパネル２８が固定されている。なお、本実施形態ではＦＩＸ窓４における後述の縦枠４１ａと方立３がＦＩＸ窓２７の上枠４１ｂまで延びており、この部分をＦＩＸ窓２７の縦枠２８ａとしている。下枠２８ｃの下部開口は蓋２８ｄによって閉塞されている。なお、ＦＩＸ窓２７に代えて他の窓、例えば排煙窓を設置してもよい。
そして、下枠２８ｃの裏面には横枠３０が見付方向に所定間隔をおいてねじ２２で固定され、横枠３０の裏面にはレール３１の支持部材３２が見付方向に所定間隔をおいてねじ２２で固定されている。横枠３０は開口部１からＦＩＸ窓４を備えた袖部４０にまで延びており、横枠３０の裏面に固定したレール３１の支持部材３２も袖部４０にまで延びている。
【００２７】
レール３１の支持部材３２には開閉ドア１２をレール３１に沿って開閉作動させる例えば電気モータ等のエンジン３３が取り付けられている。また、開閉ドア１２の上框１２ｂにはローラ３５を支持する支持アーム３６の下部が固定されている。
しかも、横枠３０の内部には、レール３１と開閉ドア１２とエンジン３３を収納したボックス３４を支える支持部材３２を、ねじ２２で取り付けるために例えば断面略コの字状の補強板３８が連結されている。
【００２８】
また、図６に示す袖部４０の縦断面図では、開閉ドア１２がスライドする位置に片袖の袖部４０にＦＩＸ窓４が取り付けられている。そして、ＦＩＸ窓４は左右の縦枠４１ａと上枠４１ｂと下枠４１ｃとで仕切られた枠体にガラスパネル４１ｄが取り付けられている。左右の縦枠４１ａには、ガラスパネル４１ｄの屋内側に例えば短い角パイプ形状の支持部４２がそれぞれねじ等で取り付けられている。この支持部４２の裏面には上述した横枠３０がねじ４２ａ等で固定され、更に横枠３０の裏面にはレール３１や開閉ドア１２やエンジン３３のボックス３４を支持する支持部材３２がねじで横枠３０を通して補強板３８に固定されている。ボックス３４は開口部１からＦＩＸ窓４を備えた袖部４０にまで伸びている。なお、ＦＩＸ窓４の縦枠４１ａに隣接して更に窓部が連なる場合には縦枠４１ａは方立となるが、その場合、支持部４２を設けずに、窓部の縦枠に直接横枠３０をねじ止めしてもよい。
【００２９】
なお、図５、図６に示すように、下レール構造として、開口部１と袖部４０の床面ＦＬにはガイド溝４４が延びて埋設されている。開閉ドア１２の下部にはガイド溝４４に挿入されて走行をガイドするためのガイド部４５が固定されている。特にガイド溝４４は床面ＦＬから下側に埋め込まれており、開閉ドア１２のガイド部４５も床面ＦＬより下側に延びている。
そのため、開閉ドア１２はエンジン３３の駆動によって上部のローラ３５がレール３１に沿って摺動してスライド方向に開閉作動し、開閉ドア１２のガイド部４５は床面ＦＬに設けたガイド溝４４に沿って走行する。
【００３０】
本実施形態による店舗の開口部１の改装構造は上述の構成を備えており、次に開口部１の改装工法について説明する。
図９に示すように、開口部１にスイング系の開き戸２を設けてあり、開口部１の一方の方立３を介して袖部４０にＦＩＸ窓４が設けられた状態において、まず開き戸２を撤去する。そして、図２及び図３において、ＦＩＸ窓４の屋内側に設けた腰壁５の膳板６を斫ることなく、調整アングル２０とアングル材２５を方立３の側面３ｂにねじで固定する。次に、内側縦枠２４をねじ２２でアングル材２５に固定し、外側縦枠１９をねじ２２ａで調整アングル２０に固定し、外側縦枠１９のスライド調整部１９ｂを調整アングル２０に重ねる。最後に内側縦枠２４と外側縦枠１９とをねじ２２ｂによって固定する。
【００３１】
ここで、既設の方立３は経年劣化等によって垂直方向に対して傾斜して配設されている場合があり、これに対して外側縦枠１９が垂直方向に位置するように姿勢や角度を調整し、垂直な位置でスライド調整部１９ｂを調整アングル２０にねじ２２ａで固定する。このとき、既存の方立３が下方から上方に向けて外側縦枠１９から離間する方向に傾斜している場合には、下部では図４（ａ）に示すようにスライド調整部１９ｂは方立３に当接した位置で調整アングル２０に固定され、上部では図４（ｂ）に示すようにスライド調整部１９ｂは方立３から離間した位置で調整アングル２０に固定される。方立３の傾斜が下方から上方に向けて外側縦枠１９に近づく方向に傾斜している場合には、下部では図４（ｂ）に示すようにスライド調整部１９ｂは方立３から離間した位置で調整アングル２０に固定され、上部では図４（ａ）に示すようにスライド調整部１９ｂは方立３に当接した位置で調整アングル２０に固定される。
【００３２】
また、外側縦枠１９の屋内側には腰壁５が設けられており、膳板６の上面でアングル材２５の短片２５ａを方立３の側面にねじ２２で固定し、アングル材２５の長片２５ｂを内側縦枠２４にねじ２２で固定する。しかも、内側縦枠２４は外側縦枠１９にねじ２２ｂで固定する。内側縦枠２４のねじ２２ｂの固定用穴に樹脂製のキャップを装着する。これにより、膳板６の外側に設置する外側縦枠１９を方立３から外側に突出しない程度の小さな厚さに設置できると共に、膳板６の上面に設置した内側縦枠２４を外側縦枠１９に固定することで外側縦枠１９の強度を補強できる。しかも、膳板６を斫りによって削らなくても内側縦枠２４を膳板６の上面に設置したから外側縦枠１９と連結して必要な強度を確保して、腐食リスク等から屋内の保護を達成できる。なお、調整アングル２０やアングル材２５は必ずしも短辺２０ａ、２５ａと長辺２０ｂ、２５ｂに設定する必要はなく、各辺の長さは同じ長さでもよく、任意に設定できる。
【００３３】
次に、図３において、外側縦枠１９に隣接する位置に開閉ドア１２を備えた自動ドア１０を設置するが、自動ドア１０は垂直に固定されるために、外側縦枠１９との隙間が生じないか上下方向に等しい微細な隙間で精度良く開口部１に設置できる。
【００３４】
また、開口部１ではランマとなるＦＩＸ窓２７の下枠２８ｃの内側に横枠３０を取り付け、しかも、横枠３０は、袖部４０におけるＦＩＸ窓４の内側で左右の縦枠４１ａ間に固定した支持部４２の裏面に延ばして固定したから、レール３１とエンジン３３を備えた支持部材３２を自動ドア１０とＦＩＸ窓４に亘って設置できる。しかも、横枠３０の内部には補強板３８を設置したから、レール３１とエンジン３３と開閉ドア１２を堅固に支持して開閉ドア１２を開閉作動させることができる。
このようにして、ＦＩＸ窓４の延長上に設けた開口部１内のスイング式のドアを撤去して、方立３と外側縦枠１９を介して開口部１の屋内側に新たな自動ドア１０を設置できる。
【００３５】
ここで、上述した開口部１の改装工法によって得られる自動ドア１０は、袖部４０に隣接する開口部１において袖部４０の屋内側にずれた位置に開閉ドア１２が設けられている。
この自動ドア１０は、腰壁５や額縁７の膳板６の上部にＦＩＸ窓４を設けた袖部４０と開閉可能な開閉ドア１２を備えた開口部１とを備えており、袖部４０のＦＩＸ窓４における左右または片側の縦枠４１ａに設けた支持部４２とランマのＦＩＸ窓２７の下枠２８ｃとに亘って横枠３０を固定した。しかも、開口部１における袖部４０の屋内側であって、左右の外側縦枠１９と横枠３０で仕切られた領域に開閉ドア１２を設け、開閉ドア１２は横枠３０に沿って開口部１から袖部４０の領域まで開閉作動可能とされている。
また、横枠３０には、横枠３０に沿って開閉ドア１２を案内するレール３１と、ローラ３５によって開閉ドア１２をレール３１に沿ってスライドさせるエンジン３３と、を備えた駆動手段を取り付けてある。
【００３６】
上述のように本実施形態による店舗の開口部１の改装構造と改装工法、そして改装で得られる自動ドア１０は、既存のＦＩＸ窓４に設けた腰壁５や額縁７の膳板６を撤去したり斫ったりすることなく新たな開口部１を仕切るための外側縦枠１９を設置することができ、施工が容易で手直し工数が無くなり、施工性が向上する。しかも外側縦枠１９が既設の方立３で仕切られた開口部１を狭めることがなく、額縁７の膳板６や腰壁５が木製であっても屋外に露出させることなく腐食や湿気等のリスクを低減できる。
また、外側縦枠１９と内側縦枠２４はそれぞれ方立３に固定した調整アングル２０とアングル材２５に連結した上で互いにねじ止め固定したため、強度が高い。しかも、既設の膳板６の上部に内側縦枠２４を設置して外側縦枠１９と方立３に連結したため、膳板６が邪魔にならず、外側縦枠１９が開口部１を狭めない程度に厚みが小さくても強度を補強できる。
【００３７】
また、調整アングル２０を介して外側縦枠１９を方立３に連結したため、既設の方立３が経年劣化等で傾いていたとしても調整アングル２０によって隙間を生じることなく外側縦枠１９の姿勢を調整して垂直に設置でき、更に垂直に設置する新たな自動ドア１０との隙間をなくしたり一定に設定したりしてチリ寸法を正確に設定できる。更に、調整アングル２０と外側縦枠１９を屋外側からねじ２２ａで固定した場合、外部からねじ２２ａの取り外しが可能になるが、外側縦枠１９を内側縦枠２４に屋内側からねじ２２ｂで連結したため、外側縦枠１９の取り外しが困難で防犯性が高い。
【００３８】
また、開口部１のランマのＦＩＸ窓２７の下枠２８ｃと袖部４０に設けた支持部４２との裏面側に横枠３０をねじ固定し、横枠３０の裏面側にレール３１やエンジン３３を設置したから、これらの部材はランマのＦＩＸ窓２７の下枠２８ｃと袖部４０に設けた支持部４２の裏面側にかくれることになり、屋外側からの見栄えが良く店舗の改装構造として好ましい。
【００３９】
なお、本発明による建物の開口部１の改装構造と改装工法は、上述した実施形態に限定されるものではなく、本発明の要旨を逸脱しない範囲で適宜の変更や置換等が可能である。
即ち、上述した実施形態では図１（ａ）に示す片開き式の自動ドア１０について説明したが、上述した実施形態における開口部１の改装構造と改装工法は図１（ｂ）に示す両開き式の自動ドア１３にも適用できる。
【００４０】
また、図７、図８は床面ＦＬに設置した下レール構造の変形例を示すものである。上述した実施形態では既存の床面ＦＬを斫って掘り下げ、形成した凹部内にガイド溝４４を埋設する必要があり、溶接や新規床面の設置工事等が発生し、煩雑で工数がかかるという課題がある。これに対し、本変形例では下レール構造のこのような課題を改善したものである。
即ち、図７に示すように、床面ＦＬ上にガイド溝４８を設けた下レールガイド部４９を設置し、開閉ドア１２の下部に設けたガイド部４５をガイド溝４８内に収納して開閉ドア１２の開閉走行をガイドするようにした。この場合、下レールガイド部４９を床面ＦＬ上に設置するために開閉ドア１２におけるガイド部４５の位置が実施形態の場合よりも上方に位置するように形成するものとする。
【００４１】
次に下レールガイド部４９について図７により詳述する。
この下レールガイド部４９は、開閉ドア１２のガイド部４５が挿入されて走行可能なガイド溝４８を備えた下レール本体５１と、その両側に設けられた一対の傾斜部５２と、傾斜部５２の下側に係合された一対の傾斜取り付け部５３とで構成されている。下レール本体５１はガイド溝４８の両側に二段に突出する第一係合片５４、第二係合片５５を備えている。各傾斜部５２は略三角形状断面を有しており、傾斜面５２ａの上端部には第一係合片５４の端部に係合可能な係合受け部５２ｂを有している。
【００４２】
また、傾斜取り付け部５３は一方の端部が傾斜部５２の凸部５２ｃに係合可能な係合突起５３ａを有し、他方の端部５３ｂは第二係合片５５の端部と接合してねじで連結されている。また、傾斜取り付け部５３を床面ＦＬにねじ２２で固定することで、一対の傾斜取り付け部５３にそれぞれ連結される下レール本体５１と一対の傾斜部５２も一体に固定される。
そして、ガイド溝４８の底部や下レールガイド部４９と床面ＦＬとの間、或いは下レール本体５１、一対の傾斜部５２、一対の傾斜取り付け部５３の相互の係合部に適宜の止水パッキンを設置することが好ましい。
【００４３】
本変形例による下レールガイド部４９は上述の構成を備えているから、床面ＦＬを斫って掘り下げることなく、床面ＦＬ上に下レールガイド部４９を組み立てて設置するだけで開閉ドア１２の走行をガイドすることができるので、斫等の工事が不要で床面ＦＬ上に簡単に設置できる。
【００４４】
図８は下レール構造の第二変形例を示すものである。本第二変形例による下レールガイド部５７は、ガイド溝４８を備えた下レール本体５８と、その両側に当接して設置した傾斜面５９ａを備えた一対の傾斜部５９とで構成されている。そして、下レール本体５８の下面と床面ＦＬとの間に図示しない止水パッキンを載置してもよい。また、下レールガイド部５７は、ガイド溝４８の底部と一対の傾斜部５９の底部からねじ２２を床面ＦＬにねじ込むことで固定している。また、傾斜面５９ａには滑り止め５９ｂが設置されていてもよい。この第二変形例によれば、第一変形例よりも部品点数を削減できてより強固に床面ＦＬに固定できる。
【００４５】
なお、第一、第二変形例による下レールガイド部４９，５７において、屋内または屋外の一方が他方より一段高い場合には、ガイド溝４８の一方のみに傾斜部を設けるようにしてもよい。また、屋内と屋外の両方の床面ＦＬが高い場合には、傾斜部を設けなくてもよい。
また、上述の実施形態や第一、第二変形例による下レール構造では、いずれも開閉ドアにガイド部４５を設け、下レール構造部分にガイド溝４４，４８を設けたが、これとは逆に開閉ドアにガイド溝を設け、下レールガイド部４９，５７にガイド部を設けてもよく、この場合にはガイド部は、下レール本体５１，５８等の頂部以下の高さであることが好ましい。
【００４６】
なお、上述した実施形態では、外側縦枠１９の内側で、膳板６の上面に内側縦枠２４を設置して外側縦枠１９と連結するようにしたが、外側縦枠１９をスチール等の高強度材で構成する場合には内側縦枠２４は設置しなくてもよい。
また、既存の方立３に対して調整アングル２０を取り付けることなく直接外側縦枠１９を連結するようにしてもよい。この場合、方立３に僅かな傾斜があっても外側縦枠１９を直接当接して方立３と同一傾斜角度で連結してもよい。また、方立３と外側縦枠１９との間に調整アングル２０を介在させたとしても、外側縦枠１９は必ずしも垂直に設置しなくてもよい。
【００４７】
なお、上述した実施形態において、外側縦枠１９に形成したスライド調整部１９ｂを調整アングル２０に重ねて方立３と外側縦枠１９の姿勢や角度の違いによるずれや干渉を吸収するようにしたが、これに代えて、調整アングル２０にスライド調整部を設けて、このスライド調整部と姿勢や角度を調整した外側縦枠１９とをねじ等で連結するようにしてもよい。
また、外側縦枠１９は本発明の外側縦部材に含まれ、内側縦枠２４は内側縦部材に含まれ、横枠３０は横部材に含まれる。
また、上述の建物の開口部１の改装構造として、店舗の出入り口としての開口部１について説明したが、本発明は店舗の開口部１に限定されるものではなく、集合住宅やビル等を含む適宜の建物の出入り口等の開口部１の改装構造や改装工法に採用できる。
【符号の説明】
【００４８】
１  開口部
３  方立
４、２７  ＦＩＸ窓
５  腰壁
６  膳板
１０、１３  自動ドア
１２  開閉ドア
１９  外側縦枠
１９ｂ  スライド調整部
２０  調整アングル
２２、２２ａ、２２ｂ  ねじ
２４  内側縦枠
２５  アングル材
３０  横枠
３１  レール
３２  支持枠
３３  エンジン
３５  ローラ
３８  補強板
４１ａ  縦枠
４２  支持部
４５  ガイド部
４８  ガイド溝
４９  下レールガイド部
５１、５８  レール本体
５２，５９  傾斜部
５３  傾斜取り付け部
ＦＬ  床面
【図１】
2015031055.tif 000003
【図２】
2015031055.tif 000004
【図３】
2015031055.tif 000005
【図４】
2015031055.tif 000006
【図５】
2015031055.tif 000007
【図６】
2015031055.tif 000008
【図７】
2015031055.tif 000009
【図８】
2015031055.tif 000010
【図９】
2015031055.tif 000011
【図１０】
2015031055.tif 000012